(57)【要約】【課題】集合住宅において発電電力を有効利用することを目的とする。【解決手段】昼間（太陽光発電時）の時間帯は、太陽光発電装置の発電電力を、店舗、共有部、各住居の順の優先順位に従って供給するように制御する。このとき、電力が過剰な場合には、発電電力を蓄電池に充電するように制御して、蓄電池が満充電になったら車両用蓄電池を充電し、それでも発電電力が過剰の場合に、電力会社へ売電する。また、時間帯が変わって夜間（日没〜日の出）の時間帯になった場合には、蓄電池の電力を、共有部、各住居、店舗の順の優先順位に従って電力を供給するように制御する。このとき、蓄電池の電力が不足する場合に、車両用蓄電池の電力を供給するように制御する。【選択図】図４
2012239260.tif 000002
【特許請求の範囲】
【請求項１】
自然エネルギを利用して発電する発電装置と、
前記発電装置の発電電力及び商用電源からの電力の少なくとも一方の電力を蓄電する蓄電池と、
前記発電装置の発電電力及び前記蓄電池に蓄電された蓄電電力の少なくとも一方の供給電力を集合住宅の住居及び前記住居以外を含む電力供給先へ供給する供給手段と、
時間帯に応じて予め定めた前記電力供給先の優先順位に従って前記供給電力を供給するように前記供給手段を制御する制御手段と、
を備えた集合住宅用電力供給システム。
【請求項２】
前記供給手段は、前記住居以外として店舗及び集合住宅の共有部へ前記供給電力を供給する請求項１に記載の集合住宅用電力供給システム。
【請求項３】
前記供給手段は、前記発電電力よりも前記蓄電電力を優先して供給する請求項１又は請求項２に記載の集合住宅用電力供給システム。
【請求項４】
前記蓄電池の蓄電量を検出する検出手段を更に備え、前記制御手段が、前記検出手段によって所定値以下の蓄電量が検出された場合に、予め定めた蓄電量低下時の優先順位に従って前記供給電力を供給するように前記供給手段を更に制御する請求項１〜３の何れか１項に記載の集合住宅用電力供給システム。
【請求項５】
自動車に搭載された車両用蓄電池と接続するための接続手段を更に備え、前記供給手段は、前記接続手段によって接続された前記車両用蓄電池を除く前記前記電力供給先へ前記発電電力を供給し、かつ前記蓄電池に充電しても余剰となる場合に、前記車両用蓄電池に前記発電電力を供給する請求項１〜４の何れか１項に記載の集合住宅用電力供給システム。
【請求項６】
前記自動車は、カーシェアリング用の自動車である請求項５に記載の集合住宅用電力供給システム。
【請求項７】
前記供給手段は、前記車両用蓄電池を充電しても前記発電電力が余剰となる場合に、電力会社へ売電する請求項５又は請求項６に記載の集合住宅用電力供給システム。
【請求項８】
自動車に搭載された車両用蓄電池と接続するための接続手段を更に備え、前記供給手段は、前記発電電力、前記蓄電電力、及び前記車両用蓄電池に蓄電された電力の少なくとも１つの供給電力を集合住宅の住居及び住居以外へ供給する請求項１〜７の何れか１項に記載の集合住宅用電力供給システム。
【発明の詳細な説明】
【技術分野】
【０００１】
本発明は、集合住宅用電力供給システムにかかり、特に、自然エネルギを利用した発電装置を備えた集合住宅用電力供給システムに関する。
【背景技術】
【０００２】
複数の戸建や共同住宅、集合住宅等の複数住宅それぞれに蓄電池を備えて、各住居へ電力を供給する各種技術が提案されている。
【０００３】
例えば、特許文献１に記載の技術では、複数の住宅それぞれに蓄電池を備えて、深夜電力等の電気料金の安い時間帯に充電した蓄電池の電力を住宅で利用し、蓄電池の充電量に余裕がある住宅から電力が不足する住宅や共用施設へ電力を融通することが提案されている。また、電力の融通を行う際には、各住宅の日々の電力使用量を予測して、該電力使用量と蓄電池の充電量に基づいて、各住宅の融通量を決定することが提案されている。
【先行技術文献】
【特許文献】
【０００４】
【特許文献１】特開２００２−３５４６８０号公報
【発明の概要】
【発明が解決しようとする課題】
【０００５】
しかしながら、特許文献１に記載の技術では、複数の住宅等で電力を融通することが提案されているが、集合住宅の共有部や、住居、或いは店舗等によって電力の使用の仕方が異なるため、効率的かつ経済的に電力を供給する点では改善の余地がある。
【０００６】
また、エネルギ問題や環境問題等を考慮して集合住宅に太陽光発電等の発電装置を備えて、余剰電力を売電することなども考えられるが、送電等による電力損失を考えると発電場所で使用することが電力の有効利用の面で好ましい。
【０００７】
本発明は、上記事実を考慮して成されたもので、集合住宅において発電電力を有効利用することを目的とする。
【課題を解決するための手段】
【０００８】
上記目的を達成するために請求項１に記載の発明は、自然エネルギを利用して発電する発電装置と、前記発電装置の発電電力及び商用電源からの電力の少なくとも一方の電力を蓄電する蓄電池と、前記発電装置の発電電力及び前記蓄電池に蓄電された蓄電電力の少なくとも一方の供給電力を集合住宅の住居及び前記住居以外を含む電力供給先へ供給する供給手段と、時間帯に応じて予め定めた前記電力供給先の優先順位に従って前記供給電力を供給するように前記供給手段を制御する制御手段と、を備えることを特徴としている。
【０００９】
請求項１に記載の発明によれば、発電装置では、自然エネルギを利用して発電が行われる。例えば、太陽光発電装置や、風力発電装置、水力発電装置等を適用することができる。
【００１０】
蓄電池には、発電装置の発電電力及び商用電源からの電力（例えば、深夜電力）の少なくとも一方の電力が蓄電される。
【００１１】
また、供給手段では、発電装置の発電電力及び蓄電池の蓄電電力の少なくとも一方の供給電力が集合住宅の住居及び住居以外を含む電力供給先へ供給される。なお、住居以外としては、例えば、請求項２に記載の発明のように、店舗及び集合住宅の共有部を適用することができる。
【００１２】
そして、制御手段では、時間帯に応じて予め定めた電力供給先の優先順位に従って供給電力を供給するように供給手段が制御される。すなわち、時間帯に応じて電力供給先の優先順位が変更されて電力が供給される。これにより、集合住宅の各場所で時間帯毎に変化する必要電力量に対応して電力を供給することができるので、発電電力を発電した場所で最大限使用することができ、送電による電力損失を抑制して発電電力を有効に活用することができる。
【００１３】
なお、供給手段は、請求項３に記載の発明のように、発電電力より蓄電電力を優先して供給するようにしてもよい。
【００１４】
また、本発明は請求項４に記載の発明のように、蓄電池の蓄電量を検出する検出手段を更に備えて、制御手段が、検出手段によって所定値以下の蓄電量が検出された場合に、予め定めた蓄電治療低下時の優先順位に従って供給電力を供給するように供給手段を制御するようにしてもよい。
【００１５】
また、請求項５に記載の発明のように、自動車に搭載された車両用蓄電池と接続するための接続手段を更に備えて、供給手段が、接続手段によって接続された車両用蓄電池を除く電力供給先へ発電電力を供給し、かつ蓄電池に充電しても余剰となる場合に、接続手段に接続された車両用蓄電池に発電電力を供給するようにしてもよい。この場合には、自動車は、請求項６に記載の発明のように、カーシェアリング用の自動車を適用することができる。また、供給手段は、請求項７に記載の発明のように、車両用蓄電池を充電しても発電電力が余剰となる場合には、電力会社へ売電するようにしてもよい。
【００１６】
さらに、本発明は請求項８に記載の発明のように、自動車に搭載された車両用蓄電池と接続するための接続手段を更に備えて、供給手段が、発電電力、蓄電電力、及び車両用蓄電池に蓄電された電力の少なくとも１つの供給電力を集合住宅の住居及び住居以外へ供給するようにしてもよい。
【発明の効果】
【００１７】
以上説明したように本発明によれば、時間帯に応じて予め定めた電力供給先の優先順位に従って電力を供給することにより、集合住宅の各場所で時間帯毎に変化する必要電力量に対応して電力を供給することができるので、集合住宅において発電電力を有効に活用することができる、という効果がある。
【図面の簡単な説明】
【００１８】
【図１】本発明の実施の形態に係わる集合住宅用電力供給システムの概略構成を示す図である。
【図２】本発明の実施の形態に係わる集合住宅用電力供給システムの制御装置の詳細な構成を示すブロック図である。
【図３】時間帯毎に予め設定した電力供給先の優先順位の一例を示す図である。
【図４】本発明の実施の形態に係わる集合住宅用電力供給システムの制御装置で行われる制御の一例を説明するための図である。
【図５】本発明の実施の形態に係わる集合住宅用電力供給システムの制御装置で行われる処理の流れの一例を示すフローチャートである。
【発明を実施するための形態】
【００１９】
以下、図面を参照して本発明の実施の形態の一例を詳細に説明する。図１は、本発明の実施の形態に係わる集合住宅用電力供給システムの概略構成を示す図である。なお、図１中の点線は電力の流れを示す。
【００２０】
本発明の実施の形態に係わる集合住宅用電力供給システム１０は、複数の入居者が入居する集合住宅１２に設けられ、集合住宅１２への電力供給を制御する。集合住宅１２は、共有部２４（例えば、エントランスホール、エレベータ、給水用くみ上げポンプ等）、各住居２６、及び店舗２８等を備えている。なお、本実施の形態では、集合住宅に共有部２４、各住居２６、及び店舗２８を含むものとして説明するが、これに限るものではなく、各住居２６の以外の専有部分としては、例えば、デイサービスや保育園などの施設などを含むようにしてもよい。
【００２１】
集合住宅用電力供給システム１０の電源としては、主として、商用電源１６からの電力や、太陽光発電装置１４等の発電装置からの電力が電源として用いられ、これらの電源から得られる電力を集合住宅１２へ供給するようになっている。
【００２２】
本実施の形態では、発電装置として、集合住宅１２の屋上等に太陽光発電装置１４を備えており、自然エネルギとして太陽光を利用して発電して、発電された電力を集合住宅１２へ供給する。なお、本実施の形態では、発電装置として、太陽光発電装置１４を例として説明するが、これに限るものではなく、風力発電や水力発電、潮力発電、地熱発電等の太陽光以外の他の自然エネルギを利用した発電装置を適用するようにしてもよい。
【００２３】
また、集合住宅用電力供給システム１０は、発電電力及び商用電源１６の電力の少なくとも一方の電力を蓄電する蓄電池１８を備えている。蓄電池１８は、太陽光発電装置１４の発電電力や、商用電源１６からの電力（特に、予め定めた深夜の電力料金の安い時間帯の商用電源１６からの深夜電力）を利用して蓄電して、商用電源１６の電力（昼間の電力）より安い電力で蓄電した電力（発電電力や深夜電力）を集合住宅１２へ供給することが可能とされている。
【００２４】
これらの電力の集合住宅１２への供給制御は、制御装置２０によって行われる。すなわち、制御装置２０には、太陽光発電装置１４、商用電源１６、及び蓄電池１８が接続されていると共に、集合住宅１２の各部（共用部２４や、各住居２６）へ電力を供給するための分電盤２２が接続されており、太陽光発電装置１４の発電電力、商用電源１６の電力、及び蓄電池１８の蓄電電力の少なくとも１つの電力が、分電盤２２を介して集合住宅１２の各部へ供給される。太陽光発電装置１４の発電電力、または蓄電池１８の蓄電電力を集合住宅１２に供給する場合には、制御装置２０は、直流を交流に変換して供給するようになっているものとするが、直流として直接使用する場合には直流のまま供給するようにしてもよい。
【００２５】
また、本実施の形態では、太陽光発電装置１４の発電電力及び蓄電池１８に蓄電された電力以外に、さらに、ハイブリッド自動車や電気自動車等の自動車６０に搭載された車両用蓄電池６２を電源として利用可能とされている。すなわち、制御装置２０には、車両用蓄電池６２に接続される充電スタンド６４が接続されており、充電スタンド６４を介して車両用蓄電池６２を充電したり、車両用蓄電池６２からの電力を分電盤２２を介して集合住宅１２の各部へ供給したりすることが可能とされている。なお、自動車６０としては、カーシェアリング用の自動車を適用するようにしてもよい。
【００２６】
ここで、制御装置２０の構成について詳細に説明する。図２は、本発明の実施の形態に係わる集合住宅用電力供給システム１０の制御装置２０の詳細な構成を示すブロック図である。なお、図２中の実線は情報の流れを示し、点線は電力の流れを示す。
【００２７】
制御装置２０は、図２に示すように、情報制御ユニット３０及び電力供給制御装置３２を備えており、情報制御ユニット３０が各種情報を収集して、収集した情報に基づいて、電力の供給元及び供給先を決定し、電力供給制御装置３２を制御することによって電力の流れを制御する。
【００２８】
情報制御ユニット３０には、集合住宅用電力供給システム１０の各種設定や操作を行うための操作パネル３４が接続されている。また、情報制御ユニット３０には、各種情報を収集するために、太陽光発電装置１４の発電量を検出するための発電量検出センサ３６、蓄電池１８の蓄電量を検出するための蓄電量検出センサ３８が接続されていると共に、集合住宅１２の各住居２６及び共用部２４の消費電力を検出するセンサ３６が接続されている。なお、発電量検出センサ３６及びセンサ３６は、単位時間あたりの電力量を検出するようにしてもよいし、電力値を検出するようにしてもよい。
【００２９】
情報制御ユニット３０は、発電量検出センサ３６及び蓄電量検出センサ３８の各検出結果を取得することにより、太陽光発電装置１４の発電量及び蓄電池１８の蓄電量を監視すると共に、各センサ３６の検出結果を取得することにより集合住宅１２で消費される電力を検出して、安価な電力を供給するように、電力供給制御装置３２を制御する。
【００３０】
一方、電力供給制御装置３２は、情報制御ユニット３０の指示に従って、太陽光発電装置１４の発電電力、蓄電池１８の蓄電電力、商用電源１６からの電力、及び車両用蓄電池６２の蓄電電力のうち何れかを集合住宅１２（各住居２６、店舗２８及び共用部２４等）へ供給する。
【００３１】
電力供給制御装置３２は、具体的には、太陽光発電装置１４の発電電力及び蓄電池１８の蓄電電力を、商用電源１６の電力よりも優先して集合住宅１２へ供給するように情報制御ユニット３０によって制御される。これによって電力料金を安価に抑えることができる。
【００３２】
ところで、集合住宅では、昼間は仕事や学校、買い物などで外出し在宅者が少ない住居部分と、店舗等昼間も夜間も人がいる部分やデイサービスなど昼間のみ人が居て夜間は使用しない部分などがあり、場所により時間毎の電力使用量に差がある。また、共有部２４についても昼間はエレベータや水のくみ上げなどに電力が使用されているが、夜間はそれらに加え照明に電力が使用され、使用量が昼夜で異なる。
【００３３】
そこで、電力供給制御装置３２は、太陽光発電装置１４の発電電力や蓄電池１８の蓄電電力を集合住宅１２の共有部２４、各住居２６、及び店舗２８等へ供給する際に、予め定めた優先順位に従って電力を供給するようになっている。そして、当該優先順位を時間帯に応じて変更するようになっている。
【００３４】
時間帯に応じて変更する優先順位の設定は、操作パネル３４を介して設定可能とされており、設定された時間帯毎の優先順位が情報制御ユニット３０に記憶され、時間帯に応じて優先順位の変更を制御するようになっている。
【００３５】
優先順位としては、集合住宅１２の各場所（各住居２６、共有部２４、店舗２８等）で必要電力量が時間帯毎に異なるため、時間帯に応じて優先順位を設定する。例えば、太陽光発電装置１４の発電電力を発電した場所（集合住宅１２内）で極力使い切る優先順位を定める。一例としては、図３に示すように、昼間の時間帯は、店舗２８、共有部２４、各住居２６の順の優先順位を設定し、夜間の時間帯は、共有部２４、各住居２６、店舗２８の順の優先順位を設定し、時間帯に応じて設定された優先順位で太陽光発電装置１４の発電電力や蓄電池１８の電力を供給するように制御することで、発電した電力を最大限、発電した場所（集合住宅１２）で使用することが可能となり、送電などによる電力損失を抑制することができる。
【００３６】
更に、本実施の形態では、蓄電池１８の蓄電量が所定値以下の場合の優先順位の設定も可能とされている。すなわち、蓄電池１８の電力が低下した場合には優先順位を変更することが可能とされている。例えば、図３の例では、蓄電池１８の電力が低下した場合（蓄電量所定値以下）には、夜間と同一の優先順位が設定された例を示すが、他の優先順位に設定するようにしてもよい。
【００３７】
すなわち、本実施の形態では、図４に示すように、昼間（太陽光発電時）の時間帯は、太陽光発電装置１４の発電電力が、店舗２８、共有部２４、各住居２６の順の優先順位に従って電力が供給されるように、情報制御ユニット３０が電力供給制御装置３２を制御する。そして、電力が過剰な場合には、発電電力が蓄電池１８に充電されるように情報制御ユニット３０が電力供給制御装置３２を制御する。ここで、蓄電池１８が満充電になった場合には、充電スタンド６４を介して車両用蓄電池６２を充電し、それでも発電電力が過剰の場合に、電力会社へ売電する。一方、発電電力が不足する場合には、蓄電池１８の電力が、店舗２８、共有部２４、各住居２６の順の優先順位に従って電力が供給される。すなわち、発電電力が蓄電電力より優先して供給される。
【００３８】
また、時間帯が変わって夜間（日没〜日の出）の時間帯になった場合には、蓄電池１８の電力が、共有部２４、各住居２６、店舗２８の順の優先順位に従って電力が供給されるように、情報制御ユニット３０が電力供給制御装置３２を制御する。このとき、蓄電池１８の電力が不足する場合には、充電スタンド６４を介して車両用蓄電池６２の電力が供給されるように情報制御ユニット３０が電力供給制御装置３２を制御する。電力がそれでも不足する場合には、商用電源１６から電力を供給（買電）するように情報制御ユニット３０が電力供給制御装置３２を制御する。なお、蓄電池１８は、余剰となる発電電力で充電したり、深夜電力を用いて充電する。
【００３９】
続いて、上述のように構成された本発明の実施の形態に係わる集合住宅用電力供給システム１０の制御装置２０で行われる具体的な処理例について説明する。図５は、本発明の実施の形態に係わる集合住宅用電力供給システム１０の制御装置２０で行われる処理の流れの一例を示すフローチャートである。
【００４０】
まずステップ１００では、昼間の時間帯か否か判定される。該判定は、情報制御ユニット３０に含まれるカウンタ等によって時間を検出し、予め定めた昼間の時間帯か否かを判定し、該判定が肯定された場合にはステップ１０２へ移行し、否定されたばあいにはステップ１０６へ移行する。
【００４１】
ステップ１０２では、昼間に対応する優先順位が取得されてステップ１０４へ移行する。すなわち、操作パネル３４によって予め設定された昼間の電力供給の優先順位が取得される。例えば、図３の例では、店舗２８、共有部２４、各住居２６の順とされた昼間の電力供給の優先順位が取得される。
【００４２】
ステップ１０４では、取得した優先順位に従って太陽光発電装置１４の発電電力及び蓄電池１８の蓄電電力を供給するように情報制御ユニット３０によって電力供給制御装置３２が制御されてステップ１１０へ移行する。すなわち、図３の例では、太陽光発電装置１４の発電電力及び蓄電池１８の蓄電電力を店舗２８に供給して余った電力を共有部２４へ供給し、さらに余った電力を各住居２６へ供給するように、情報制御ユニット３０が電力供給制御装置３２を制御する。なお、情報制御ユニット３０は、電力が不足する部分については、蓄電池１８から電力を供給するように、電力供給制御装置３２を制御し、それでも電力が不足する場合には、商用電源１６から電力を供給するように制御する。
【００４３】
一方、ステップ１０６では、夜間に対応する優先順位が取得されてステップ１０８へ移行する。すなわち、操作パネル３４によって予め設定された夜間の電力供給の優先順位が取得される。例えば、図３の例では、共有部２４、各住居２６、店舗２８の順とされた夜間の電力供給の優先順位が取得される。
【００４４】
ステップ１０８では、取得した優先順位に従って蓄電池１８の電力を供給するように情報制御ユニット３０によって電力供給制御装置３２が制御されてステップ１１０へ移行する。すなわち、図３の例では、蓄電池１８の電力を共有部２４に供給して余った電力を各住居２６へ供給し、さらに余った電力を店舗２８へ供給するように、情報制御ユニット３０が電力供給制御装置３２を制御する。また、電力が不足する場合には、充電スタンド６４を介して車両用蓄電池６２を供給するように、情報制御ユニット３０が電力供給制御装置３２を制御し、それでも電力が不足する場合には、商用電源１６から電力を供給（買電）するように、制御する。また、蓄電池１８は、夜間の深夜電力を充電するように制御する。
【００４５】
ステップ１１０では、蓄電池１８の蓄電量が検出されてステップ１１２へ移行する。すなわち、蓄電量検出センサ３８の検出結果が取得される。
【００４６】
ステップ１１２では、蓄電量が所定値以下か否か判定され、該判定が肯定された場合にはステップ１１４へ移行し、否定された場合にはステップ１００に戻って上述の処理が繰り返される。
【００４７】
ステップ１１４では、蓄電量所定値以下の優先順位とされているか否かが判定される。該判定は、既に後段の処理が行われて蓄電量所定値以下の場合の優先順位に設定されているか否か判定され、該判定が否定された場合にはステップ１１６へ移行し、肯定された場合にはステップ１１８へ移行する。
【００４８】
ステップ１１６では、蓄電量所定値以下時の優先順位に変更されてステップ１１８へ移行する。すなわち、図３に示すように、蓄電量所定値以下時の優先順位が取得されて、取得された優先順位（図３の場合には、共有部２４、各住居２６、店舗２８の順の優先順位）に変更される。
【００４９】
ステップ１１８では、蓄電量が所定値以上に回復したか否かが判定され、該判定が肯定された場合にはステップ１２０へ移行し、否定された場合にはステップ１２２へ移行する。
【００５０】
ステップ１２０では、所定値以下時の優先順位に変更される前の優先順位に変更されてステップ１２２へ移行する。なお、当該処理は、時間帯を検出して時間帯に応じた優先順位に変更するようにしてもよい。
【００５１】
ステップ１２２では、処理終了か否かが判定される。該判定は、例えば、システムのオフ指示がなされたか否かを判定したり、システムの異常が検出されたか否か等を判定し、該判定が否定された場合にはステップ１００に戻って上述の処理が繰り返され、判定が肯定された場合には一連の処理を終了する。
【００５２】
このように太陽光発電装置１４の発電電力や蓄電池１８の電力を供給する供給先の優先順位を時間帯毎に変えることにより、集合住宅１２の各場所で変化する必要電力量に対応して電力を供給することができるので、発電電力を蓄電池１８に蓄電した蓄電電力を含む太陽光発電装置１４の発電電力を発電した場所で最大限使用することができ、送電による電力損失を抑制して発電電力を有効に活用することができる。
【００５３】
なお、上記の実施の形態では、昼間の時間帯と夜間の時間帯の２つの時間帯で電力供給先の優先順位を変更するようにしたが、これに限るものではなく、更に詳細に時間帯を区切って優先順位を変更するようにしてもよい。
【００５４】
また、上記の実施の形態では、蓄電池１８の蓄電電力より太陽光発電装置１４の発電電力を優先して供給するように制御したが、蓄電池１８の蓄電電力を太陽光発電装置１４の発電電力より優先して供給するように制御し、発電電力を売電するようにしてもよい。例えば、発電電力を売電した方が経済的な場合には、蓄電電力を優先的に使用して発電電力を売電するようにしてもよい。さらには、蓄電池１８を複数設けて、蓄電池１８の電力を優先的に使用して、発電電力を使用している蓄電池１８とは別の蓄電池１８に充電するようにしてもよいし、発電電力を売電するようにしてもよい。また、蓄電池１８の電力を優先する場合には、蓄電池１８の残量が所定値以下になった場合に、発電電力と蓄電池１８の蓄電電力を同時に使用するようにしてもよい。
【符号の説明】
【００５５】
１０    集合住宅用電力供給システム
１２    集合住宅
１４    太陽光発電装置
１６    商用電源
１８    蓄電池
２０    制御装置
２２    分電盤
２４    共用部
２６    各住居
２８    店舗
３０    情報制御ユニット
３２    電力供給制御装置
３８    蓄電量検出センサ
６０    自動車
６２    車両用蓄電池
６４    充電スタンド
【図１】
2012239260.tif 000003
【図２】
2012239260.tif 000004
【図３】
2012239260.tif 000005
【図４】
2012239260.tif 000006
【図５】
2012239260.tif 000007